(57)【要約】【課題】ゴルフクラブの超高反発ヘッドは各種あるが、ボールを打った時の反発力は今一つ不足気味である。【解決手段】クラブヘッド内のフェース内面とヘッド底面に密着するベローズ管を形成し、該ベローズ管に高圧空気を密封し、該ベローズ管をフェース内面と底に密着して構成した。  これにより、ボールを打った瞬間、フェースとヘッド全体の反発力に、フェース内面に密着し、且、高圧空気を密封したベローズ管の強力な反発力が加はり、この両者の反発力は合体して強大なものになるので、最大の飛距離を叩き出すことができる。  したがって、この効果から、体力が落ちたり、練習不足の場合でも、楽に遠くへ飛ばすことができる。【選択図】図１
2017104474.tif 000002
【特許請求の範囲】
【請求項１】
クラブヘッド内のフェース全面とヘッドの内面に密着する反発体を金属板等のバネ板材で形成してヘッド内に内蔵し、且、反発体内には高圧空気を密封し、然る後、該反発体をフェース内面とクラブヘッド内面に密着したことを特徴とするゴルフクラブの超高反発ヘッド。
【請求項２】
クラブヘッド内のフェース全面とヘッド内の底に密着する２段で、下段をやや小径のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封し、ベローズ管をフェース内面とクラブヘッドの底に密着したことを特徴とするゴルフクラブの超高反発ヘッド。
【請求項３】
クラブヘッド内のフェース全面に密着し、ヘッドの底に密着する部分は、極小径にした２段のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封したことを特徴とするゴルフクラブの超高圧反発ヘッド。
【請求項４】
反発体とベローズ管に密封する高圧空気は、フェースに密着する面が、ふくれない程度迄の高圧空気を密封したことを特徴とするゴルフクラブの超高反発ヘッド。
【発明の詳細な説明】
【技術分野】
【０００１】  ゴルフボールの飛距離を飛躍的に延ばしたゴルフクラブの超高反発ヘッドに関する。
【背景技術】
【０００２】  超高圧反発ヘッドは各種あるが、ボールを打った時の反発力は、今一つ不足気味である。
【発明の概要】
【発明が解決しようとする課題】
【０００３】  本発明は、上記の不足気味の反発を強化するようにしたものである。
【課題を解決するための手段】
【０００４】  実施例１の図１と図２は、クラブヘッド内のフェース全面とヘッド内面に密着する反発体を、金属板等のバネ板材で形成してヘッド内に内蔵し、且、反発体内には高圧空気を密封し、然る後、該反発体をフェース内面とクラブヘッド内面に密着したものである。
実施例２の図３と図４は、クラブヘッド内のフェース全面とヘッド内の底に密着する２段で下段をやや小径のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封し、ベローズ管をフェース内面とクラブヘッドの底に密着したものである。
実施例３の図５と図６は、クラブヘッド内のフェース全面に密着し、ヘッドの底に密着する部分は、極小径にした２段のベローズ管を金属板等のバネ板材で形成し、ベローズ管の底は凹みを、ヘッドの底には凸起を形成し、凹みを凸起に係合して、ベローズ管がずれないようにし、且、ベローズ管内に高圧空気を密封したものである。
【発明の効果】
【０００５】  本発明は、上記のように形成したので、ボールを打った瞬間、フェースとヘッド全体の反発力に、フェース内面に密着し、且、高圧空気を密封した反発体の強大な反発力が加はり、両者の反発力は合体して強大なものになるので、ボールの飛距離は最大となる。
また、実施例２の図３と図４の場合は、ベローズ管を２段に形成したので、フェースに密着する部分の反発力に、ボール打った打撃で強圧されて、変形したベローズ管の復元力も反発作用となって加はり、且、ベローズ管には高圧空気を密封したので、ボールの飛距離を延ばすことができる。
更に、実施例３の図５と図６は、高圧空気を密閉した段状のベローズ管の下部を極小径に形成したので、ボールを打っつた時、その打撃で大きく変形するくび部の復元力も反発作用となって加はり、且、ベローズ管には高圧空気を密封したので、最大の飛距離を叩き出すことができる。【０００６】  したがって、以上の効果から、体力が落ちたり、練習不足の場合でも遠くへ飛ばせることができる。
【図面の簡単な説明】
【０００７】  実施例１
【図１】  図２の線Ａ−Ａの横断平面図    反発体１は、薄いバネ板材で形成するが、分りやすくするため、肉厚で表した。
【図２】  図１の正面図  実施例２
【図３】  図４の線Ｂ−Ｂの横断平面図
【図４】  図３の正面図  実施例３
【図５】  図６の線Ｃ−Ｃの横断平面図
【図６】  図５の正面図
【発明を実施するための形態】
【０００８】  実施例１の図１と図２の１は、クラブヘッド内のフェース全面とヘッド内面に密着する反発体で、金属等のバネ板材で形成し、反発体１内には、高圧空気を密封している。
然る後、反発体１をフェース内面とクラブヘッド内面に密着している。
実施例２の図３と図４の２は、クラブヘッド内のフェース全面とヘッド内の底に密着する、２段のベローズ管で、金属等のバネ板材で形成している。なお、下段のベローズ管はやや小径に形成している。
３はベローズ管２の底に形成した凹みで、ヘッドの底に形成した凸起４に係合し、ベローズ管２がずれないようにしている。また、ベローズ管２には高圧空気を密封している。
実施例３の図５と図６の２は、ベローズ管で、フェースの内面に密着する部分は大径に、ヘッドの底に密着する部分は極小径にした２段のベローズ管を金属等のバネ板材で形成している。
３はベローズ管２の底に形成した凹みで、ヘッドの底に形成した凸起４に係合し、ベローズ管２がずれないようにしている。
また、ベローズ管２には高圧空気を密封している。
【０００９】  以上において、反発体１とベローズ管２は金属等のバネ板材で形成したが、化学繊維のバネ材で形成してもよく、クラブヘッドの正面や深さ等の形状に合せて形成する。また、ベローズ管２はクラブヘッドが深い時は２段以上に形成してもよい。
なお、反発体１とベローズ管２に密封する高圧空気は、フェースに密着する面が、ふくれない程度迄の高圧空気を密封したがよい。
【符号の説明】
【００１０】    １  反発体
２  ベローズ管
３  凹み
４  凸起
５  くび部
【図１】
2017104474.tif 000003
【図２】
2017104474.tif 000004
【図３】
2017104474.tif 000005
【図４】
2017104474.tif 000006
【図５】
2017104474.tif 000007
【図６】
2017104474.tif 000008
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
クラブヘッド内に反発体を内蔵しているゴルフクラブの超高反発ヘッドにおいて、前記反発体は、クラブヘッド内のフェース面であるフェース内面の全面とクラブヘッド内面に密着しているものであり、前記反発体は、金属等のバネ板材で形成されており、且つ、前記反発体内には、高圧空気を密封していることを特徴とするゴルフクラブの超高反発ヘッド。
【請求項２】
クラブヘッド内のフェース全面とヘッド内の底に密着する２段で、下段をやや小径のベローズ管を金属等のバネ板材で形成し、ベローズ管の底は凹みを、ヘッドの底には凸起を形成し、凹みを凸起に係合して、ベローズ管がずれないようにし、旦、ベローズ管内に高圧空気を密封し、ベローズ管をフェース内面とクラブヘッドの底に密着したことを特徴とするゴルフクラブの超高反発ヘッド。
【請求項３】
クラブヘッド内のフェース全面に密着し、ヘッドの底に密着する部分は，極小径にした２段のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封したことを特徴とするゴルフクラブの超高圧反発ヘッド。
【請求項４】
前記反発体に密封する高圧空気は、フェースに密着する面が、ふくれない程度迄の高圧空気を密封したことを特徴とする請求項１に記載のゴルフクラブの超高反発ヘッド。
【請求項５】
前記ベローズ管に密封する高圧空気は、フェースに密着する面が、ふくれない程度迄の高圧空気を密封したことを特徴とする請求項２又は３のいづれか一つに記載のゴルフクラブの超高反発ヘッド。
【手続補正書】
【提出日】平成28年9月29日(2016.9.29)
【手続補正１】
【補正対象書類名】明細書
【補正対象項目名】全文
【補正方法】変更
【補正の内容】
【発明の詳細な説明】
【技術分野】
【０００１】  ゴルフボールの飛距離を飛躍的に延ばしたゴルフクラブの超高反発ヘッドに関する。
【背景技術】
【０００２】  超高反発ヘッドは各種あるが、ボールを打った時の反発力は、今一つ不足気味である。
【発明の概要】
【発明が解決しようとする課題】
【０００３】  本発明は、上記の不足気味の反発を強化するようにしたものである。
【課題を解決するための手段】
【０００４】実施例１の図１と図２は、クラブヘッド内のフェース全面とヘッド内の底に密着する２段で下段をやや小径のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封し、ベローズ管をフェース内面とクラブヘッドの底に密着したものである。
実施例２の図３と図４は、クラブヘッド内のフェース全面に密着し、ヘッドの底に密着する部分は、極小径にした２段のベローズ管を金属板等のバネ板材で形成し、ベローズ管の底は凹みを、ヘッドの底には凸起を形成し、凹みを凸起に係合して、ベローズ管がずれないようにし、且、ベローズ管内に空気を密封したものである。
【発明の効果】
【０００５】  本発明は、上記のように形成したので、ボールを打った瞬間、フェースとヘッド全体の反発力に、フェース内面に密着し、且、高圧空気を密封した反発体の強大な反発力が加はり、両者の反発力は合体して強大なものになるので、ボールの飛距離は最大となる。
また、実施例１の図１と図２の場合は、ベローズ管を２段に形成したので、フェースに密着する部分の反発力に、ボールを打った打撃で強圧されて、変形したベローズ管の復元力も反発作用となって加はり、且、ベローズ管には高圧空気を密封したので、ボールの飛距離を延ばすことができる。
更に、実施例２の図３と図４は、高圧空気を密封した段状のベローズ管の下部を極小径に形成したので、ボールを打った時、その打撃で大きく変形するくび部の復元力も反発作用となって加はり、且、ベローズ管には高圧空気を密封したので、最大の飛距離を叩き出すことができる。【０００６】  したがって、以上の効果から、体力が落ちたり練習不足の場合でも遠くへ飛ばすことができる。
【図面の簡単な説明】
【０００７】実施例１【図１】図２の線Ａ−Ａの横断平面図
【図２】図１の正面図実施例２【図３】図４の線Ｂ−Ｂの横断平面図
【図４】図３の正面図
【発明を実施するための形態】
【０００８】実施例１の図１と図２の１は、クラブヘッド内のフェース全面とヘッド内の底に密着する、２段のベローズ管で、金属等のバネ板材で形成している。なお、下段のベローズ管はやや小径に形成している。
２はベローズ管１の底に形成した凹みで、ヘッドの底に形成した凸起３に係合し、ベローズ管１がずれないようにしている。また、ベローズ管１には高圧空気を密封している。
実施例２の図３と図４の１は、ベローズ管で、フェースの内面に密着する部分は大径に、ヘッドの底に密着する部分は極小径にした２段のベローズ管１を金属等のバネ板材で形成している。
２はベローズ管１の底に形成した凹みで、ヘッドの底に形成した凸起３に係合し、ベローズ管１がずれないようにしている。
また、ベローズ管１には高圧空気を密封している。
【０００９】以上において、ベローズ管１は金属等のバネ板材で形成したが、化学繊維のバネ材で形成してもよく、クラブヘッドの正面や深さ等の形状に合せて形成する。また、ベローズ管１はクラブヘッドが深い時は２段以上に形成してもよい。
なお、ベローズ管１に密封する高圧空気は、フェースに密着する面が、ふくれない程度迄の高圧空気を密封したがよい。
【符号の説明】
【００１０】      １  ベローズ管
２  凹み
３  凸起
４  くび部
【手続補正２】
【補正対象書類名】特許請求の範囲
【補正対象項目名】全文
【補正方法】変更
【補正の内容】
【特許請求の範囲】
【請求項１】
クラブヘッド内のフェース全面とヘッド内の底に密着する２段で、下段をやや小径のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封し、ベローズ管をフェース内面とクラブヘッドの底に密着したことを特徴とするゴルフクラブの超高反発ヘッド。
【請求項２】
クラブヘッド内のフェース全面に密着し、ヘッドの底に密着する部分は、極小径にした段のベローズ管を金属等のバネ板材で形成し、ベローズ管の底は凹みを、ヘッドの底には凸起を形成し、凹みを凸起に係合して、ベローズ管がずれないようにし、且、ベローズ管内に高圧空気を密封したことを特徴とするゴルフクラブの超高反発ヘッド。
【請求項３】
前記ベローズ管に密封する高圧空気は、フェースに密着する面が、ふくれない程度までの高圧空気を密封したことを特徴とする請求項１または２のいづれか一つに記載のゴルフクラブの超高反発ヘッド。
【手続補正４】
【補正対象書類名】図面
【補正対象項目名】全図
【補正方法】変更
【補正の内容】
【図１】
2017104474.tif 000009
【図２】
2017104474.tif 000010
【図３】
2017104474.tif 000011
【図４】
2017104474.tif 000012